(57)【要約】【課題】キズを防止して美観が維持でき、開閉動作の安定性を確保することができるブラインドおよび建具を提供すること。【解決手段】隣接する上側のスラット２０が下側のスラット２０に対して回動した場合でも、端部キャップ２３の摺接部２３２がスラット本体２１に摺接することで、スラット本体２１同士が擦れ合うことがなく、互いにキズがつくことが防止でき、外部ブラインドの美観を維持することができる。また、摺接部２３２とスラット本体２１との摺接位置をスラット２０の左右両端部に限定し、長尺状のスラット本体２１同士が擦れ合わないようにしたことで、回動駆動の際の摩擦抵抗を低減してスラット２０同士の引っ掛かりが防止でき、スラット２０の開閉動作および回動動作を安定させることができる。【選択図】図５
2007239387.tif 000002
【特許請求の範囲】
【請求項１】
枠体と、この枠体に支持された複数のスラットと、これらのスラットを開閉駆動および回動駆動する駆動手段とを備え、
前記複数のスラットは、それぞれ全体長尺板状に形成されたスラット本体を有するとともに、隣り合うスラットのスラット本体同士が当接する全開位置から、隣り合うスラット同士が所定間隔だけ離れる全閉位置までの間を開閉駆動可能、かつ全閉位置または全開位置と全閉位置との途中位置において、透光位置と遮光位置との間を当該各スラットごとに長手方向に沿った軸回りに回動駆動可能に構成され、
前記スラットには、前記スラット本体の表面から隣接するスラットに向かって突出し、回動駆動時において当該隣接するスラットに摺接可能な摺接部が設けられているブラインド。
【請求項２】
前記摺接部は、前記スラット本体の長手方向両端部に取り付けられる端部部材に形成されている請求項１に記載のブラインド。
【請求項３】
前記複数のスラットは、左右に延びて前記枠体に支持されるとともに、上下に開閉駆動可能に構成され、
前記スラット本体は、上向きに凸な断面略弓形状かつ中空部を有して形成された金属製部材であり、前記端部部材は、前記スラット本体の左右両端を塞いで取り付けられる樹脂製部材であり、前記摺接部は、当該スラット本体の弓形両端部よりも下方に突出して一対で形成されている請求項２に記載のブラインド。
【請求項４】
前記スラット本体の下面には、前記スラットが全開位置にある状態において、下側に隣接するスラットのスラット本体に当接し、当該上下のスラット本体同士の間に所定の隙間を形成する突条部が、当該スラット本体の長手方向に連続して形成されている請求項３に記載のブラインド。
【請求項５】
窓枠と、この窓枠内に支持された障子と、前記窓枠の室外側に設けられた外部ブラインドとを備えた建具であって、
前記外部ブラインドは、前記窓枠の室外側に固定されるブラインド枠と、このブラインド枠に支持された複数のスラットと、これらのスラットを開閉駆動および回動駆動する駆動手段とを有して構成され、
前記複数のスラットは、それぞれ全体長尺板状に形成されたスラット本体を有するとともに、隣り合うスラットのスラット本体同士が当接する全開位置から、隣り合うスラット同士が所定間隔だけ離れる全閉位置までの間を開閉駆動可能、かつ全閉位置または全開位置と全閉位置との途中位置において、透光位置と遮光位置との間を当該各スラットごとに長手方向に沿った軸回りに回動駆動可能に構成され、
前記スラットには、前記スラット本体の表面から隣接するスラットに向かって突出し、回動駆動時において当該隣接するスラットに摺接可能な摺接部が設けられている建具。
【請求項６】
前記ブラインド枠は、前記駆動手段を内蔵する上部ケース体と、前記複数のスラットの長手方向両端部を支持する縦レール体とを有して構成され、
前記複数のスラットは、それぞれ左右に延びて形成されるとともに、前記縦レール体に案内されて上下に開閉駆動可能、かつ全閉位置において前記障子の室外側を覆うように構成され、
前記スラット本体は、上向きに凸な断面略弓形状かつ中空部を有して形成された金属製部材であり、前記摺接部は、前記スラット本体の左右両端部を塞いで取り付けられる樹脂製の端部部材に形成されるとともに、当該スラット本体の弓形両端部よりも下方に突出して室内外一対で形成されている請求項５に記載の建具。
【発明の詳細な説明】
【技術分野】
【０００１】
本発明は、ブラインドおよび建具に関し、詳しくは、複数のスラットを備えたブラインド、およびブラインドを備えた建具に関する。
【背景技術】
【０００２】
窓の室外面に設けられる外部ブラインドとして、水平に延びる複数のスラットが上下開閉移動可能に構成されたものが知られている（例えば、特許文献１参照）。
特許文献１に記載された外部ブラインドは、複数のスラット同士を連結するリンク機構と、スラットを上下駆動して全開位置（各スラットが窓の下部に重ねられた位置）と全閉位置（各スラットが所定間隔で並び、窓の室外面を覆う位置）との間を開閉移動させる昇降機構と、スラットを回動させて透光（各スラットの面が見込み方向に略平行になった状態）と遮光（各スラットの面が窓に略平行になった状態）とを切り替えるチルト機構とを有して構成されている。そして、隣接したスラット同士は、一方（上側）のスラットが他方（下側）のスラットに対して相対的に回動しつつ、順次上下に開閉移動されるように構成されている。
【０００３】
【特許文献１】特開２００３−３４３１７９号公報
【発明の開示】
【発明が解決しようとする課題】
【０００４】
しかしながら、前記特許文献１に記載された従来の外部ブラインドでは、昇降機構によってスラットを開閉駆動する際に、上下に隣接したスラットの一方が他方に対して相対的に回動するため、スラット同士が擦れ合って、その表面にキズがついてしまい、開閉操作を繰り返すことで外観上の美観が損なわれてしまうという問題がある。さらに、スラット同士が擦れ合うことで摩擦抵抗が大きくなり、開閉操作中にスラット引っ掛かってしまう可能性があり、開閉動作の安定性の点でも問題である。
【０００５】
本発明の目的は、キズを防止して美観が維持でき、開閉動作の安定性を確保することができるブラインドおよび建具を提供することにある。
【課題を解決するための手段】
【０００６】
本発明のブラインドは、枠体と、この枠体に支持された複数のスラットと、これらのスラットを開閉駆動および回動駆動する駆動手段とを備え、前記複数のスラットは、それぞれ全体長尺板状に形成されたスラット本体を有するとともに、隣り合うスラットのスラット本体同士が当接する全開位置から、隣り合うスラット同士が所定間隔だけ離れる全閉位置までの間を開閉駆動可能、かつ全閉位置または全開位置と全閉位置との途中位置において、透光位置と遮光位置との間を当該各スラットごとに長手方向に沿った軸回りに回動駆動可能に構成され、前記スラットには、前記スラット本体の表面から隣接するスラットに向かって突出し、回動駆動時において当該隣接するスラットに摺接可能な摺接部が設けられていることを特徴とする。
【０００７】
ここで、本発明のブラインドとしては、複数のスラットが上下（鉛直方向）に開閉駆動されるものでもよく、また複数のスラットが左右（水平方向）に開閉駆動されるものでもよい。そして、上下に開閉駆動されるスラットは、略水平方向に延びた長尺状に形成され、その左右両端や中間部が枠体に支持されて上下に案内されるように構成されていればよい。一方、左右に開閉駆動されるスラットは、略鉛直方向に延びた長尺状に形成され、その上端部や上下両端部、あるいは中間部が枠体に支持されて左右に案内されように構成されていればよい。
【０００８】
以上の本発明によれば、複数のスラットが開閉駆動され全開位置にて重なった状態から閉鎖方向に移動されるか、あるいは各スラットが重なる方向に開放移動される際に、スラットが回動駆動されて隣接するスラットの一方が他方に対して相対的に回動した場合でも、一方（または他方）のスラットに設けた摺接部が他方のスラット本体に摺接するようにできる。従って、一方および他方のスラット本体同士が擦れ合うことがなく、互いにキズがつくことが防止でき、ブラインドの美観を維持することができる。また、長尺状のスラット本体同士が擦れ合うことがないので、摩擦抵抗を低減して引っ掛かりが防止でき、スラットの開閉動作を安定させることができる。そして、スラットを回動させた場合のみにおいて摺接部を隣接するスラット本体に摺接させる、すなわち全開位置にスラットを重ねた状態では摺接部が当接しないように構成すれば、上下（または左右）に重ねたスラット全体の高さ（または幅）寸法をコンパクトにすることができ、枠体の寸法を小さくすることができるとともに、全開状態のブラインドの外観意匠性を良好にすることができる。
【０００９】
この際、本発明のブラインドでは、前記摺接部は、前記スラット本体の長手方向両端部に取り付けられる端部部材に形成されていることが好ましい。
このような構成によれば、摺接部を端部部材に形成し、この端部部材をスラット本体の両端部に取り付けることで、スラット本体に複雑な加工を施さなくても摺接部を容易に設置することができ、加工手間やコストを削減することができる。また、スラット本体の長手方向両端部に摺接部を設けたことで、外観上目立つスラット本体の中央部におけるキズを確実に防止でき、外観の美観を良好に維持することができる。
【００１０】
この際、本発明のブラインドでは、前記複数のスラットは、左右に延びて前記枠体に支持されるとともに、上下に開閉駆動可能に構成され、前記スラット本体は、上向きに凸な断面略弓形状かつ中空部を有して形成された金属製部材であり、前記端部部材は、前記スラット本体の左右両端を塞いで取り付けられる樹脂製部材であり、前記摺接部は、当該スラット本体の弓形両端部よりも下方に突出して一対で形成されていることが好ましい。
このような構成によれば、上向きに凸な断面略弓形のスラット本体を採用した場合に、その弓形両端部よりも下方に突出して摺接部を設けたことで、スラットの回動時に擦れ合いやすい弓形凸状の上面部に、両端部下側面が擦らないようにでき、必要最小な寸法で摺接部を形成しても効率的にキズ付きが防止できる。また、外観上目立つ弓形凸状の上面側に摺接部を設けずに、弓形両端部の下側に摺接部を設けたことで、ブラインドの外観意匠性をさらに良好にすることができる。
【００１１】
さらに、本発明のブラインドでは、前記スラット本体の下面には、前記スラットが全開位置にある状態において、下側に隣接するスラットのスラット本体に当接し、当該上下のスラット本体同士の間に所定の隙間を形成する突条部が、当該スラット本体の長手方向に連続して形成されていることが好ましい。
このような構成によれば、スラットが全開位置にあってスラット同士が重ね合わされた状態において、隣接する一方のスラットにおけるスラット本体の突条部が他方のスラット本体に当接し、これらのスラット本体同士の間に隙間を形成することで、スラット本体間の水膜の表面張力による付着が防止でき、全開位置から閉操作する際の動作安定性をさらに向上させることができる。すなわち、ブラインドが屋外に設置された場合には、雨水等がかかってスラット本体同士の間に浸入することがあり、この浸入した雨水等の水膜がスラット本体間に形成されると、スラット同士を引き離す際に水膜による吸引力が作用してしまい、スムーズにスラット同士を開く（全閉位置へ移動させる）ことができないという不都合があった。これに対して、スラット本体同士の間に所定のサイズ（例えば、０．５mm程度）の隙間を形成しておけば、水膜による吸引力が作用しない（または作用しにくい）ようにでき、スラット同士をスムーズに開くことができるようになる。
【００１２】
一方、本発明の建具は、窓枠と、この窓枠内に支持された障子と、前記窓枠の室外側に設けられた外部ブラインドとを備えた建具であって、前記外部ブラインドは、前記窓枠の室外側に固定されるブラインド枠と、このブラインド枠に支持された複数のスラットと、これらのスラットを開閉駆動および回動駆動する駆動手段とを有して構成され、前記複数のスラットは、それぞれ全体長尺板状に形成されたスラット本体を有するとともに、隣り合うスラットのスラット本体同士が当接する全開位置から、隣り合うスラット同士が所定間隔だけ離れる全閉位置までの間を開閉駆動可能、かつ全閉位置または全開位置と全閉位置との途中位置において、透光位置と遮光位置との間を当該各スラットごとに長手方向に沿った軸回りに回動駆動可能に構成され、前記スラットには、前記スラット本体の表面から隣接するスラットに向かって突出し、回動駆動時において当該隣接するスラットに摺接可能な摺接部が設けられていることを特徴とする。
以上の本発明によれば、前述のブラインドと同様に、開閉移動の際にスラットが回動した場合でも、摺接部が隣接するスラット本体に摺接することで、スラット本体同士が擦れ合わずにキズが防止でき、ブラインドの美観を維持することができるとともに、スラット本体同士の引っ掛かりを防止してスラットの開閉動作を安定させることができる。
【００１３】
この際、本発明の建具では、前記ブラインド枠は、前記駆動手段を内蔵する上部ケース体と、前記複数のスラットの長手方向両端部を支持する縦レール体とを有して構成され、前記複数のスラットは、それぞれ左右に延びて形成されるとともに、前記縦レール体に案内されて上下に開閉駆動可能、かつ全閉位置において前記障子の室外側を覆うように構成され、前記スラット本体は、上向きに凸な断面略弓形状かつ中空部を有して形成された金属製部材であり、前記摺接部は、前記スラット本体の左右両端部を塞いで取り付けられる樹脂製の端部部材に形成されるとともに、当該スラット本体の弓形両端部よりも下方に突出して室内外一対で形成されていることが好ましい。
このような構成によれば、上向きに凸な断面略弓形のスラット本体における弓形両端部よりも下方に突出して摺接部を設けたことで、スラットの回動時に擦れ合いやすい弓形凸状の上面部に対するキズ付きを効率的に防止することができるとともに、外観上目立つ弓形凸状の上面側に摺接部を設けないことで、外部ブラインドの外観意匠性をさらに良好にすることができる。
【発明を実施するための最良の形態】
【００１４】
以下、本発明の実施形態を図面に基づいて説明する。
図１は、本発明の実施形態に係る建具である上げ下げ窓１を示す縦断面図である。図２は、上げ下げ窓１の室外側に設けた外部ブラインド１０を示す斜視図である。図３は、外部ブラインド１０の動作を示す斜視図である。図４は、外部ブラインド１０のスラット２０を示す分解斜視図である。図５は、スラット２０の一部を拡大して示す縦断面図である。図６は、スラット２０の開閉動作を示す縦断面図である。
図１および図２において、上げ下げ窓１は、戸建て住宅等の建物の外壁開口部に設けられて建物の室内空間と室外空間とを仕切るものであって、外壁開口部に固定された窓枠２と、この窓枠２に開閉自在に支持された上部障子３および下部障子４と、窓枠２の室外側に設けられた外部ブラインド１０とを備えて構成されている。
【００１５】
外部ブラインド１０は、窓枠２の室外側に固定されるブラインド枠１１と、このブラインド枠１１に支持された複数のスラット２０と、これらのスラット２０を開閉駆動および回動駆動する駆動装置（駆動手段）１５とを有して構成されている。ブラインド枠１１は、それぞれアルミ形材製であり、駆動装置１５を内蔵する上部ケース体１２と、スラット２０の長手方向両端部を支持して上下に案内する縦レール体１３とを三方枠組みして形成されている。縦レール体１３には、スラット２０を案内する案内レール１３１が設けられている。駆動装置１５は、室内側から制御可能なモータ等の駆動本体部１５Ａと、この駆動本体部とスラット２０とに連結されたチェーンやベルト等の駆動伝達部（不図示）とを有して構成され、駆動伝達部が後述するスラット２０の連結部材２２に連結されている。
【００１６】
複数のスラット２０は、駆動装置１５に駆動されて縦レール体１３の案内レール１３１に案内されることで、上下に隣り合うスラット２０同士が上方に重なり合う全開位置（図１、２の位置）から、スラット２０同士が所定間隔だけ離れかつ障子３，４の室外側を覆う全閉位置（図１に破線で示す位置）まで、の間を上下開閉移動可能に構成されている。また、スラット２０は、図１の破線や図３に示すように、全閉位置または全開位置から全閉位置までの途中位置（半開位置）において、各スラット２０が略水平になる透光位置と、各スラット２０が略鉛直になる遮光位置との間を水平軸回りに回動可能に構成され、駆動装置１５の駆動によりスラット２０の角度を変更することで透光、遮光が切り替え可能になっている。
【００１７】
スラット２０は、アルミ形材製で全体長尺状かつ上向きに凸な断面略弓形状で中空部を有して形成されたスラット本体２１と、このスラット本体２１の左右両端部に取り付けられるとともに案内レール１３１から挿入されて縦レール体１３内部で駆動伝達部に連結される連結部材２２と、スラット本体２１の左右両端部に取り付けられる端部部材としての端部キャップ２３とを有して構成されている。連結部材２２は、スラット本体２１の端部に設けた切欠きから中空部に挿入されるとともに、スラット本体２１底面の切欠きを塞ぐスライド部材２１Ａとスナップ部材２１Ｂとによって固定されるようになっている。また、図３、図５および図６に示すように、スラット本体２１の底面における弓形の凹部両端には、当該スラット本体２１の長手方向に沿って連続して延びる一対の突条部２１１が形成されている。これらの突条部２１１は、図５および図６(Ａ)に示すように、スラット２０が全開位置にある状態において、下側に隣接するスラット２０のスラット本体２１上面に当接し、これら上下のスラット２０本体同士の間に所定寸法（例えば、０．５mm程度）の隙間Ｓが形成されるようになっている。
【００１８】
端部キャップ２３は、樹脂製であって、スラット本体２１の弓形状断面と略同一の外形を有するとともにスラット本体２１の中空部に圧入固定される端部キャップ本体２３１と、この端部キャップ本体２３１の下端部に形成されてスラット本体２１の突条部２１１よりも下方に突出する摺接部２３２とを有して形成されている。この摺接部２３２は、スラット２０が全開位置にある状態（図５、図６(Ａ)）において、下側に隣接するスラット２０のスラット本体２１上面には当接せず、図６(Ｂ)に示すように、全開位置からスラット２０が下方に駆動される際や全開位置に戻される際に、上側のスラット２０が下側のスラット２０に対して回動駆動された場合において、下側のスラット２０のスラット本体２１上面に摺接するようになっている。このような摺接部２３２のスラット本体２１下面からの突出寸法は、例えば１mm程度に設定されており、上下のスラット本体２１同士が擦れ合わずに、樹脂製の摺接部２３２がアルミ形材製のスラット本体２１に摺接することで、スラット本体２１の上面にキズが付かないようになっている。
【００１９】
このような本実施形態によれば、以下のような効果がある。
（１）すなわち、隣接する上側のスラット２０が下側のスラット２０に対して回動した場合でも、端部キャップ２３の摺接部２３２がスラット本体２１に摺接することで、スラット本体２１同士が擦れ合うことがなく、互いにキズがつくことが防止でき、外部ブラインド１０の美観を維持することができる。また、摺接部２３２との摺接によりスラット本体２１にキズが付いたとしても、そのキズの位置がスラット２０の左右両端部に限定されるので、外部ブラインド１０の外観上キズが目立たず、この場合でも美観を維持することができる。
【００２０】
（２）さらに、摺接部２３２とスラット本体２１との摺接位置をスラット２０の左右両端部に限定し、長尺状のスラット本体２１同士が擦れ合わないようにしたことで、スラット２０を回動駆動する際の摩擦抵抗を低減し、スラット２０同士の引っ掛かりが防止でき、スラット２０の開閉動作および回動動作を安定させることができる。
【００２１】
（３）また、上向きに凸な断面略弓形のスラット本体２１における弓形両端部下面よりも下方に突出して摺接部２３２が設けられているので、摺接部２３２を小さな寸法で形成しても、スラット２０の回動時に擦れ合いやすい弓形凸状の上面部と両端部下面とが擦らないようにでき、効率的にキズ付きが防止できる。また、外観上目立つ弓形凸状の上面側に摺接部を設けずに、弓形両端部の下側に摺接部を設けたことで、外部ブラインド１０の外観意匠性を良好にすることができる。
【００２２】
（４）また、スラット２０の回動駆動時のみにおいて隣接するスラット本体２１に摺接部２３２が摺接する、すなわち全開位置にスラット２０を重ねた状態では摺接部２３２がスラット本体２１に当接しないようになっているので、上下に重ねた複数のスラット２０全体の高さ寸法をコンパクトにすることができ、ブラインド枠１１の高さ寸法を小さくすることができるとともに、全開状態の外部ブラインド１０の外観意匠性を向上させることができる。
【００２３】
（５）また、複数のスラット２０が重なり合った全開位置にある状態において、上側のスラット２０におけるスラット本体２１の突条部２１１が下側のスラット本体２１に当接し、これらのスラット本体２１同士の間に隙間Ｓが形成されているので、スラット本体２１間に浸入した雨水等の水膜の形成が防止でき、スラット本体２１同士が吸着することがないため、全開位置から閉操作する際の動作安定性をさらに向上させることができる。
【００２４】
なお、本発明は、前記実施形態に限定されるものではなく、本発明の目的を達成できる他の構成等を含み、以下に示すような変形等も本発明に含まれる。
例えば、前記実施形態において、ブラインドとしては、複数のスラット２０が上下に開閉駆動される外部ブラインド１０について説明したが、これに限らず、また複数のスラットが左右に開閉駆動されるものでもよい。また、ブラインドとしては、窓の室外側に取り付けられた外部ブラインド１０に限らず、窓の室内側に設置されるものでもよく、また、カーテンウォール等における内外のガラスパネル間に設置されるものでもよい。
【００２５】
また、前記実施形態では、スラット２０を上向きに凸な断面略弓形に形成したが、スラットの形態としては、弓形に限定されず、平板状や屈折板状であってもよい。平板状や屈折板状のスラットの場合には、端部部材の摺接部をスラット断面における下側のコーナー部分に対応した位置に設けておけばよい。
また、前記実施形態では、スラット本体２１の下面に一対（２本）の突条部２１１を形成したが、突条部としては、１本でもよく、また３本以上で構成されていてもよい。
さらに、スラット本体２１は、アルミ形材製に限らず、他の金属材料から形成されたものや樹脂材料から形成されたものでもよく、端部部材である端部キャップ２３は、樹脂製に限らず、金属製やその他の材料から形成されたものでもよい。
【００２６】
また、前記実施形態では、スラット本体２１の両端部に取り付けられる端部部材としての端部キャップ２３に摺接部２３２を形成したが、これに限らず、スラット本体２１の下面や上面、端面等に突起状の摺接部を形成してもよく、また樹脂製等の部材からなる摺接部をスラット本体２１の表面に係合や接着により取り付けてもよい。さらに、前記実施形態では、端部キャップ２３に形成した摺接部２３２を１本のスラット２０当たり左右２箇所ずつ合計４箇所に設けたが、これに限らず、スラットの中央１箇所に摺接部を設けてもよく、スラットの途中の複数箇所に摺接部を設けてもよい。
【００２７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２８】
【図１】本発明の第１実施形態に係る建具を示す縦断面図である。
【図２】前記建具の室外側に設けた外部ブラインドを示す斜視図である。
【図３】前記外部ブラインドの動作を示す斜視図である。
【図４】前記外部ブラインドのスラットを示す分解斜視図である。
【図５】前記スラットの一部を拡大して示す縦断面図である。
【図６】前記スラットの開閉動作を示す縦断面図である。
【符号の説明】
【００２９】
２…窓枠、３，４…障子、１０…外部ブラインド、１１…枠体であるブラインド枠、１２…上部ケース体、１３…縦レール体、１５…駆動装置（駆動手段）、２０…スラット、２１…スラット本体、２３…端部部材である端部キャップ、２１１…突条部、２３２…摺接部、Ｓ…隙間。
【図１】
2007239387.tif 000003
【図２】
2007239387.tif 000004
【図３】
2007239387.tif 000005
【図４】
2007239387.tif 000006
【図５】
2007239387.tif 000007
【図６】
2007239387.tif 000008